(57)【特許請求の範囲】
【請求項１】
上側の竪樋が接続される上部接続口と、下側の竪樋が接続される下部接続口と、取水した雨水を排出する排水口とを有した、竪樋の経路途中に設置される取水継手であって、
取水継手内部において、上側の竪樋の下方で、且つ、取水した雨水を一時貯溜する一時貯溜部よりも上方に傾斜面を形成し、
傾斜面の下端は開口しており、
傾斜面下端の開口を区切って２以上の開口部を形成したことを特徴とする取水継手。
【請求項２】
上記傾斜面が、上側の竪樋の内壁面よりも内側、又は、竪樋の内壁面の内側と外側に跨がって形成されていることを特徴とする請求項１に記載の取水継手。
【請求項３】
上記傾斜面が、取水継手の中心部から取水継手の内壁面に向って傾斜するように形成されており、傾斜面下端の位置における取水継手の横断面積が竪樋の横断面積よりも大きくて、傾斜面下端の開口部の下方に、取水継手の内壁面から内側に向って張り出す環状壁を周設し、その環状壁と取水継手の内壁面との間に形成される空間を一時貯溜部としたことを特徴とする請求項１又は請求項２に記載の取水継手。
【請求項４】
上記傾斜面が截頭円錐形であって、その頂部に上端開口を形成したことを特徴とする請求項１ないし請求項３のいずれかに記載の取水継手。
【請求項５】
取水継手が、上部接続口と傾斜面を有する上側部材と、排水口と一時貯溜と下部接続口を有する下側部材とで構成されていることを特徴とする請求項１ないし請求項４のいずれかに記載の取水継手。
【発明の詳細な説明】
【技術分野】
【０００１】
本発明は、竪樋の経路途中に設置されて、取水した雨水を雨水貯溜タンクに導く取水継手に関するものである。
【背景技術】
【０００２】
近年、地球温暖化による気候変動で、日本の気候も亜熱帯地方に近づいてきている。それに伴い、乾期には殆ど雨が降らず、ダムや湖の水位が低下して水不足となるため、各地で水道水の給水制限が実施され、庭の植物に充分量の水を与えることも難しくなっている。その一方、短時間で非常に激しい雨が降る局地的豪雨も珍しくなくなってきており、このように一時に大量の雨が降ると、雨水の排水施設や処理場の容量をオーバーして、所謂、都市型洪水などを引き起こす危険性がある。
【０００３】
このような事情から、家屋の屋根に降った雨水を雨水貯溜タンクに一時貯溜し、洗車や植物の水やり等に有効活用することで、排水施設や処理場の負担を軽減することが求められている。
【０００４】
上記の要望に応えるため、取水ケース部の底板部に、上下方向に貫通する筒体部が設けられた取水器を竪樋の経路途中に設置した雨樋用集水装置が提案された（特許文献１）。
【０００５】
この特許文献１の雨樋用集水装置は、上側竪樋から流れ落ちてきた雨水が、筒体部と取水ケース部の間に形成された空間に流入し、取水排出部を通して貯水タンクに貯溜することができるようにしたものである。
【先行技術文献】
【特許文献】
【０００６】
【特許文献１】特開２００５−００９１５５号公報
【発明の概要】
【発明が解決しようとする課題】
【０００７】
しかしながら、上記特許文献１の雨樋用集水装置の取水器は、上側竪樋から流下してきた雨水の大半が、筒体部と取水ケース部の間に形成された空間には流入せずに、そのまま筒体部の内部に流入して下側竪樋へと流れ落ちていってしまうため、取水効率が悪いという問題があった。
【０００８】
本発明は上記の問題に鑑みてなされたもので、その解決しようとする課題は、竪樋から流下する雨水を効率よく取水することができる取水継手を提供することにある。
【課題を解決するための手段】
【０００９】
上記目的を達成するため、本発明に係る取水継手は、上側の竪樋が接続される上部接続口と、下側の竪樋が接続される下部接続口と、取水した雨水を排出する排水口とを有した、竪樋の経路途中に設置される取水継手であって、取水継手内部において、上側の竪樋の下方で、且つ、取水した雨水を一時貯溜する一時貯溜部よりも上方に傾斜面を形成し、傾斜面の下端は開口しており、傾斜面下端の開口を区切って２以上の開口部を形成したことを特徴とするものである。
【００１０】
本発明の取水継手においては、上記傾斜面が、上側の竪樋の内壁面よりも内側、又は、竪樋の内壁面の内側と外側に跨がって形成されることが好ましい。また、上記傾斜面が、取水継手の中心部から取水継手の内壁面に向って傾斜するように形成されており、傾斜面下端の位置における取水継手の横断面積が竪樋の横断面積よりも大きくて、傾斜面下端の開口部の下方に、取水継手の内壁面から内側に向って張り出す環状壁を周設し、その環状壁と取水継手の内壁面との間に形成される空間を一時貯溜部とした取水継手が好ましく、上記傾斜面が截頭円錐形であって、その頂部に上端開口を形成した取水継手がより好ましい。特に、取水継手が、上部接続口と傾斜面を有する上側部材と、排水口と一時貯溜と下部接続口を有する下側部材とで構成されていることが極めて好ましい。
【発明の効果】
【００１１】
本発明の取水継手は、取水継手内部の上側竪樋より下方に傾斜面を形成しているので、竪樋の内壁面に沿って流下してきた雨水の多くは傾斜面の上に落下し、その雨水は傾斜面を伝って下端開口から傾斜面の下方に位置する一時貯溜部へと導かれ、排水口から雨水貯溜タンクへと排出される。このように、取水継手内部に傾斜面を形成することで、竪樋から流下してきた雨水の多くを取水することができるようになるので、取水効率が非常に高い。また、２以上の開口部を形成するために、傾斜面下端の開口を区切った仕切りによってゴミを捕集することができるようになり、雨水貯溜タンクに排出される雨水にゴミが混じりにくくなる。
【００１２】
また、上記傾斜面が、上側の竪樋の内壁面よりも内側、又は、竪樋の内壁面の内側と外側に跨がって形成された取水継手は、傾斜面を上側竪樋の内壁面よりも内側、又は、竪樋の内壁面の内側と外側に跨がって形成することで、竪樋の内壁面を伝って流下してきた雨水が確実に傾斜面上に落下することになるので、より一層効率よく雨水を取水することができる。
【００１３】
更に、上記傾斜面が、取水継手の中心部から取水継手の内壁面に向って傾斜するように形成されており、傾斜面下端の位置における取水継手の横断面積が竪樋の横断面積よりも大きくて、傾斜面下端の開口部の下方に、取水継手の内壁面から内側に向って張り出す環状壁を周設し、その環状壁と取水継手の内壁面との間に形成される空間を一時貯溜部とした取水継手は、傾斜面を取水継手の中心部から取水継手の内壁面に向って傾斜するように形成したことに加えて、環状壁と取水継手の内壁面との間に形成された一時貯溜部を傾斜面下端の開口部の下方に位置させることで、竪樋の内壁面に沿って流下してきた雨水の殆どを効率よく取水することができるようになる。また、竪樋よりも横断面積の小さい箇所（竪樋の内部も含む）で雨水の流路の別れ道を作ってしまうとゴミが詰まり易くなってしまうが、本願のように、竪樋の横断面積よりも大きい箇所に開口部を形成することで、ゴミ詰まりを防止することができると共に、取水効率がより一層向上する。
【００１４】
また、上記傾斜面が截頭円錐形であって、その頂部に上端開口を形成した取水継手は、豪雨時のように、雨水が竪樋の内部を略満たして閉塞しながら流下してくる場合であっても、取水継手の中心部に形成された傾斜面の上端開口から下側竪樋へと雨水が流下するので、取水継手と上側竪樋の接続部から雨水が溢れ出してしまう心配がない。また、傾斜面を截頭円錐形にすることで傾斜面がなだらかになり、雨水の流れを妨げる突出した部位が一切なくなるので、ゴミが傾斜面上に引っ掛かりにくくなると共に、取水効率が更に向上する。
【００１５】
特に、取水継手が、上部接続口と傾斜面を有する上側部材と、排水口と一時貯溜と下部接続口を有する下側部材とで構成された取水継手は、上側部材と下側部材のセパレート型にすることで成形が容易となり、しかも、その上側部材と下側部材を接続するだけで、上記のような、取水効率のよい取水継手を得ることができる。また、メンテナンスの際は、上側部材と下側部材を分割すると、傾斜面やその開口部、及び、一時貯溜部の清掃が容易となるので、メンテナンス性も良好となる。
【図面の簡単な説明】
【００１６】
【図１】本発明の一実施形態に係る取水継手を示す図であって、（ａ）は平面図、（ｂ）は（ａ）のＡ−Ａ断面図である。
【図２】同取水継手の要部である傾斜面を示す斜視図である。
【図３】同取水継手を構成する下側部材の平面図である。
【図４】同取水継手を設置した状態を示す概略図である。
【発明を実施するための最良の形態】
【００１７】
以下、図面を参照して本発明の具体的な実施形態を詳述する。
【００１８】
図１に示す本発明の取水継手Ｊは、家屋の屋根に降った雨水を、図４に示す雨水貯溜タンクＴに一時貯溜することで、乾期の水不足に備えると共に、豪雨時の都市型洪水の被害を少しでも軽減するために開発された合成樹脂製の継手である。
【００１９】
この取水継手Ｊは、図１の（ｂ）に示すように、上側の竪樋５Ａが挿入接続される上部接続口１ａを有する円筒の上側部材１と、下側の竪樋５Ｂが差込み接続される下部接続口２ａを有する円筒の下側部材２とで構成されたもので、図４に示すように、竪樋５の経路途中に設置される。
尚、本実施形態では、竪樋５が円筒であるので、取水継手Ｊも円筒形に形成されているが、竪樋５が角筒である場合は、取水継手Ｊの上側部材１及び下側部材２もそれに対応する形状に形成すればよいことは言うまでもない。
【００２０】
取水継手Ｊを設置する竪樋５には特に統一の規格がないため、その外径寸法も様々である。従って、上側部材１の上部接続口１ａの内径は、図１の（ｂ）に示すように、汎用性を持たせるために竪樋５の外径よりも大きくなっている。このように、上部接続口１ａの内径を竪樋５の外径よりも大きく形成することで、様々な竪樋の経路途中に設置することができるようになるばかりか、上部接続口１ａ内部の体積が増加するので、豪雨時でも上側部材１から雨水が溢れ出してしまうことがなくなる。
【００２１】
また、上側部材１の下端部には、後述する下側部材２の受口２ｄの内側に差込み接続できるように縮径された差込み口１ｂが形成されている。この上側部材１の差込み口１ｂを下側部材２の受口２ｄの内側に差し込むことで、上側部材１と下側部材２が一体化されて簡単に取水効率のよい取水継手Ｊを得ることができる。
尚、上側部材１と下側部材２とは、メンテナンス（主に内部の清掃）を考慮して、接着剤を塗布しないで接続される。
【００２２】
図１の（ａ），（ｂ）に示すように、上記上側部材１の内部には、傾斜面３が形成されている。この傾斜面３は、図２に示すように、偏平な截頭円錐形であって、取水継手Ｊの中心部から取水継手Ｊの内壁面（差込み口１ｂの内壁面）に向って斜め下方に傾斜するように形成されており、傾斜面３下端の位置における取水継手の横断面積（傾斜面３下端の位置における取水継手の半径の二乗×円周率）は、竪樋５の横断面積よりも大きくなるように形成されている（換言すれば、竪樋５の直径よりも傾斜面３下端の位置における取水継手の直径のほうが大きい）。また、その頂部には上端開口３ａが形成されていると共に、下端も開口しており、この下端開口を６つの仕切片３ｃで等間隔（６０°間隔）に区切ることで６つの開口部３ｂが形成されている。このように、傾斜面３を截頭円錐形にすることで、傾斜面３がなだらかになって突出した部位（抵抗となる部位）がなくなるので、ゴミが傾斜面３上に引っ掛かりにくくなる。また、竪樋５の横断面積よりも大きい箇所に開口部３ｂを形成することで、ゴミ詰まりを防止することができると共に、取水効率がより一層向上する。
【００２３】
上記仕切片３ｃは、図１の（ａ）に示すように、その先端が上側部材１の内壁面に当接するまで傾斜面３の中心部から外側に向って突出しており、仕切片３ｃの先端が上側部材１の内壁面に当接することで上側部材１と傾斜面３が一体化されている。この仕切片３ｃは、傾斜面３の下端開口を区切るためのみならず、この仕切片３ｃで雨水と共に流れてきたゴミを捕集し、ゴミが取り除かれたきれいな雨水だけが雨水貯溜タンクＴに排出されるようになっている。
尚、傾斜面３の下端開口を区切る仕切片３ｃは、少なくとも２以上あればその効果を奏するものであるが、４〜８つ程度が特に好ましい。また、図示はしないが、より細かいゴミを捕集するために、網目状の仕切片で傾斜面３の下端開口を区切って、開口部３ｂを形成してもよい。
【００２４】
上記傾斜面３は、図１の（ｂ）に示すように、上側部材１の上部接続口１ａに上側の竪樋５Ａを挿入接続した際、その上側の竪樋５Ａの下端よりも下方で、後述する一時貯溜部４よりも上方に位置するように形成されている。また、この傾斜面３の斜面部分は、上側の竪樋５Ａの内壁面よりも内側に位置するように形成されており、仕切片３ｃ及び開口部３ｂは竪樋５Ａの内壁面の内側と外側に跨がって形成されている。
【００２５】
このような傾斜面３を上側部材１の内部に形成することで、上側の竪樋５Ａから流下してきた雨水は傾斜面３に落下し、傾斜面３の傾斜に沿って流れたのち、開口部３ｂより後述する一時貯溜部４へと導かれる。通常の雨量では、雨水は竪樋５の内壁面に沿って流下してくるので、そこから落下した雨水の大半は傾斜面３の上に落ち、そこから開口部３ｂを経て一時貯溜部４へと導かれるので、取水効率が極めて良好である。その一方、豪雨の際は、雨水が竪樋５の内部を略満たして閉塞しながら流下してくるが、その大半は中心部に形成された上端開口３ａより下側の竪樋５Ｂへと流下し、上部接続口１ａと上側の竪樋５Ａの隙間より雨水が溢れ出してしまう心配もない。
【００２６】
このような傾斜面３は、上側部材１と一体成形されたものであるが、傾斜面３を別体で成形したのち、上側部材１と一体化してもよい。
【００２７】
次に、上記のような構成の上側部材１と共に取水継手Ｊを構成する下側部材２は、図１の（ｂ）に示すように、その下端部に下側の竪樋５Ｂが差込み接続される下部接続口２ａが形成されている。また、その上端部は拡径されて、前述した上側部材１の差込み口１ｂが差込み接続される受口２ｄが形成されており、その下方の側面には、取水した雨水が排出される排水口２ｂが形成されている。この下部接続口２ａには筒部２ｃが設けられており、その筒部の上部２０ｃは、底壁４ｃよりも上方へ突出していると共に、筒部の下部２１ｃには、様々なサイズの竪樋５を差込み接続できるように側面に段部が形成されている。
【００２８】
図１の（ｂ）に示すように、上記下側部材２の内部には、下側部材２の内壁面から上記筒部の上部２０ｃに向って底壁４ｃが突設されており、この底壁４ｃと筒部の上部２０ｃとで下側部材２の内壁面に周設される環状壁が形成されている。そして、この環状壁の内周面と下側部材２の内壁面との間に形成された空間が、前述した傾斜面３の開口部３ｂから落下してきた雨水を一時貯溜するための一時貯溜部４となっている。この一時貯溜部４は、前述した傾斜面３の開口部３ｂの下方（真下）に位置するように形成されており、これによって、傾斜面３の開口部３ｂから落下してきた雨水の大半が一時貯溜部４に一時貯溜されて、排水口２ｂより排出されるようになっている。
【００２９】
上記一時貯溜部４には、図１の（ｂ）、図３に示すように、その内周側の一部（排水口２ｂ側）に内側へせり出したポケット部４ｄが形成されており、そのポケット部４ｄの底面に、雨水を下方に排出する水抜き孔４ａが穿孔されている。
また、このポケット部４ｄの外側には雨水溜壁４ｂが立設されて一時貯溜部４と排水口２ｂとの間に段差が設けられている。これによって、降り始めのゴミが混じった少量の雨水は、雨水貯溜タンクＴに排出されることなくポケット部４ｄへと導かれて、水抜き孔４ａから下方に排出されるので、きれいな雨水だけを雨水貯溜タンクＴに送り込むことができるようになっている。この水抜き孔４ａの直径が大きすぎると、傾斜面３の開口部３ｂから流下してきた雨水の殆どが水抜き孔４ａから排出されてしまうので、３ｍｍ程度の孔径にすることが好ましい。また、ポケット部４ｄを形成せずに、水抜き孔４ａを単に底壁４ｃに穿孔しても、雨水を一時貯溜することは可能であるが、このようにすると、水抜き孔４ａから排出された雨水が、下側の竪樋５Ｂの外周面を伝って流下し、下側の竪樋５Ｂの外周面を濡らしてしまう。しかしながら、本実施形態のように、内側にせり出すポケット部４ｄを形成し、そのポケット部４ｄに水抜き孔４ａを穿孔することで、下側の竪樋５Ｂの内周面を伝って雨水が流下し、下側の竪樋５Ｂの外周面を濡らしてしまうことがなくなるので、より好ましい態様となる。
【００３０】
上記一時貯溜部４と連通された排水口２ｂは、一時貯溜部４で一時貯溜した雨水を雨水貯溜タンクＴに送り込むためのもので、その外周に導入管６を差し込むことで、取水継手Ｊと雨水貯溜タンクＴが連結されている。
【００３１】
また、図１の（ｂ）に示すキャップ７は、排水口２ｂに脱着自在に取付けられるもので、雨水貯溜タンクＴの貯溜量が一杯になったとき、排水口２ｂにこのキャップ７を取付けると、取水継手Ｊで取水した雨水が雨水貯溜タンクＴに導入されないようになっており、平常は取り外されている。
【００３２】
以上のような上側部材１と下側部材２とで構成される取水継手Ｊは、図４に示すように、竪樋５の経路途中に設置されるものである。この取水継手Ｊの設置は、雨水貯溜タンクＴよりも上方の箇所の竪樋５を切断、或いは、切欠くことで、竪樋５を上側の竪樋５Ａと下側の竪樋５Ｂに分離する。次に、上側部材１の上部接続口１ａの奥まで上側の竪樋５Ａの下端を挿入することで上側の竪樋５Ａと上側部材１を接続する共に、下側の竪樋５Ｂの上端を下側部材２の下部接続口２ａに形成された筒部２ｃの外周に差込んで、下側の竪樋５Ｂと下側部材２を接続する。そして、上側部材１を上側の竪樋５Ａに沿って下向きにスライドさせて上側部材１の差込み口１ｂを下側部材２の受口２ｄの内部に差し込むことで上側部材１と下側部材２を一体化し、導入管６の一端を下側部材２の排水口２ｂに接続すると共に、導入管６の他端を雨水貯溜タンクＴに接続することで、取水継手Ｊと雨水貯溜タンクＴを連結して取水継手Ｊの設置が完了する。
【００３３】
上記のように、取水継手Ｊを竪樋５の経路途中に設置すると、家屋の屋根に降って竪樋５の内壁面に沿って流下してきた雨水の大半は傾斜面３に落下し、開口部３ｂより一時貯溜部４に導かれて、排水口２ｂから導入管６を経て雨水貯溜タンクＴの内部へと流入する。このように、竪樋５から流下してきた雨水の多くを取水継手Ｊによって取水することができるので、取水効率が極めて高い。また、開口部３ｂを区切る仕切片３ｃや雨水溜壁４ｂを形成することで、ゴミの混じっていないきれいな雨水だけが雨水貯溜タンクＴに流入されるので、植物の水やりや洗車などは勿論のこと、雨水貯溜タンクＴ内の清掃を頻繁に行う必要もない。また、取水継手Ｊのメンテナンスの際は、上側部材１と下側部材２を分割するだけで、傾斜面３やその開口部３ｂ、一時貯溜部４など、ゴミが付着し易い箇所の清掃が容易となり、メンテナンス性も高い。
【符号の説明】
【００３４】
Ｊ    取水継手
１    上側部材
１ａ  上部接続口
１ｂ  差込み口
２    下側部材
２ａ  下部接続口
２ｂ  排水口
２ｃ  筒部
２ｄ  受口
３    傾斜面
３ａ  上端開口
３ｂ  開口部
３ｃ  仕切片
４    一時貯溜部
４ａ  水抜き孔
４ｂ  雨水溜壁
４ｃ  底壁
４ｄ  ポケット部
５    竪樋
５Ａ  上側の竪樋
５Ｂ  下側の竪樋
６    導入管
７    キャップ
Ｔ    雨水貯溜タンク
【図１】
0005385092.tif 000002
【図２】
0005385092.tif 000003
【図３】
0005385092.tif 000004
【図４】
0005385092.tif 000005